(57)【要約】【課題】 施工が簡単で、施工費を安く抑えることができる遮水構造を提供する。【解決手段】地下外壁７と地下空間１３との間に複壁８によって区画された集水空間１１が設けられ、前記地下外壁７からの漏水１５を前記集水空間１１に導き、該集水空間１１から前記地下空間１３の下方に設けられた排水ピット１４に導くことにより、前記地下外壁７からの漏水１５及び漏水１５による湿気が前記地下空間１３内に流入するのを防止する遮湿構造１であって、前記集水空間１１内に、該集水空間１１内を前記地下外壁７側の第１空間５と、前記複壁８側の第２空間６とに水密に区画する、遮湿性を有する材質からなる遮湿部材２を設けたもの。【選択図】  図１
2013122148.tif 000002
【特許請求の範囲】
【請求項１】
地下外壁と地下空間との間に複壁によって区画された集水空間が設けられ、前記地下外壁からの漏水を前記集水空間に導き、該集水空間から前記地下空間の下方に設けられた排水ピットに導くことにより、前記地下外壁からの漏水及び漏水による湿気が前記地下空間内に流入するのを防止する遮湿構造であって、
前記集水空間内に、該集水空間内を前記地下外壁側の第１空間と、前記複壁側の第２空間とに水密に区画する、遮湿性を有する材質からなる遮湿部材を設けたことを特徴とする遮湿構造。
【請求項２】
前記遮湿部材は、フィルム状、シート状、又は板状をなす部材であることを特徴とする請求項１に記載の遮湿構造。
【請求項３】
前記集水空間は、直方体状の空間であって、前記集水空間内に前記遮湿部材が斜めに設置され、前記遮湿部材の両側端が前記集水空間の両側面に水密に接触され、前記遮湿部材の上下端が前記集水空間の上隅部及び下隅部にそれぞれ接合手段により水密に接合されていることを特徴とする請求項１又は２に記載の遮湿構造。
【請求項４】
前記遮湿部材の下端を着脱可能に構成したことを特徴とする請求項３に記載の遮湿構造。
【発明の詳細な説明】
【技術分野】
【０００１】
本発明は、遮湿構造に関し、特に、地下外壁からの漏水及び湿気が地下空間内に流入するのを防止するのに好適な遮湿構造に関する。
【背景技術】
【０００２】
地下外壁によって周囲が囲まれた地下街、地下室等の地下空間を構築する場合、地下外壁に形成されるセパレータ孔、打継目、ひび割れ箇所等から漏水が発生し、この漏水が地下空間内へ流入するおそれがあるため、様々な対策が施されている。
【０００３】
例えば、非特許文献１には、図３に示すように、地下外壁７の内側に地下外壁７に沿うように間隔をおいて複数のパネルからなる複壁８（二重壁ともいう。）を設置し、この複壁８と地下外壁７との間に集水空間１１を形成し、この集水空間１１を地下空間１３の下方に設けた排水ピット１４に連通させた工法が開示されている。
【０００４】
非特許文献１に記載の工法によれば、地下外壁７からの漏水１５を集水空間１１内に導き、集水空間１１内から排水ピット１４内に導くことにより、地下外壁７からの漏水１５が地下空間１３内に流入するのを防止できる。
【０００５】
しかし、地下外壁７からの漏水１５或いは漏水１５による湿気で複壁８の裏面側が濡れた状態になるため、複壁８の裏面側に付着した水分が次第に複壁８内に浸透して表面側に染み出し、その部分にカビ１６等を発生させる原因となる。
【０００６】
一方、非特許文献２には、地下外壁の外面側に地下外壁の全周を囲むように、厚さ６ｍｍ〜９ｍｍの鉄板を設置することにより、地下外壁を防水するように構成した技術（鉄板防水）が開示されている。
【０００７】
非特許文献２に記載の技術を用いることにより、複壁、集水空間、排水ピット等を設置することなく、地下外壁からの漏水、湿気を完全に抑えることができ、快適な地下空間を提供することができる。
【０００８】
しかし、地下外壁の全周を囲むように鉄板を設置するためには、複数枚の鉄板を溶接しながら地下外壁の外側に設置する必要があるため、その作業に多大な労力、時間、及び費用がかかる。また、都心部の狭隘な敷地等の場合には、地下外壁の外側を掘削して鉄板を設置することができないため、適用可能な場所が地下外壁の外側を掘削可能な場所に制限されてしまう。
【先行技術文献】
【非特許文献】
【０００９】
【非特許文献１】株式会社ノザワ、ホームページ、地下二重壁、ｏｎｌｉｎｅ、平成２３年１２月２日検索、インターネット＜  ｈｔｔｐ：／／ｗｗｗ．ａｓｌｏｃ．ｃｏ．ｊｐ／ｍｅｔｈｏｄ／ｐｄｆ／Ｔ２−Ａ−Ｚ−１．ｐｄｆ＞
【非特許文献２】建築技術、２００５年３月号、第１７０頁〜第１７１頁、「鉄板防水地下室を鉄板で囲む」、株式会社建築技術  発行
【発明の概要】
【発明が解決しようとする課題】
【００１０】
本発明は、上記のような従来の問題に鑑みなされたものであって、安価な費用で地下外壁からの漏水及び湿気が地下空間内に流入するのを防止することができるとともに、都心部等の狭隘な敷地であっても適用することが可能な遮湿構造を提供することを目的とする。
【課題を解決するための手段】
【００１１】
上記のような課題を解決するために、本発明は、以下のような手段を作用している。
すなわち、本発明は、地下外壁と地下空間との間に複壁によって区画された集水空間が設けられ、前記地下外壁からの漏水を前記集水空間に導き、該集水空間から前記地下空間の下方に設けられた排水ピットに導くことにより、前記地下外壁からの漏水及び漏水による湿気が前記地下空間内に流入するのを防止する遮湿構造であって、前記集水空間内に、該集水空間内を前記地下外壁側の第１空間と、前記複壁側の第２空間とに水密に区画する、遮湿性を有する材質からなる遮湿部材を設けたことを特徴とする。
【００１２】
本発明の遮湿構造によれば、地下外壁からの漏水は、集水空間の第１空間内に導かれ、第１空間内から排水ピットに導かれる。この場合、集水空間を第１空間と第２空間とに区画する遮湿部材は、遮湿性（水、及び湿気（水蒸気）を通さない性質）を有しているので、地下外壁からの漏水及び漏水による湿気（水蒸気）が第１空間から遮湿部材を透過して第２空間内に流入するようなことはない。従って、地下外壁からの漏水及び漏水による湿気で複壁の裏面側が濡れるようなことはないので、複壁を乾燥した状態に保ち続けることができ、地下空間を快適な状態に保ち続けることができる。また、集水空間内に遮湿部材を設置するだけでよいので、施工に要する手間、時間、及び費用を大幅に削減することができ、地下空間に安価な費用で防水対策を施すことができる。さらに、地下外壁の全周に鉄板を設置する工法のように、地下外壁の外側を掘削する必要がないので、都心部等の狭隘な敷地であっても適用が可能となり、汎用性を高めることができる。
【００１３】
また、本発明において、前記遮湿部材は、フィルム状、シート状、又は板状をなす部材であることとしてもよい。
【００１４】
本発明の遮湿構造によれば、フィルム状、シート状、又は板状の遮湿部材を集水空間内に設置することにより、集水空間内を地下外壁側の第１空間と複壁側の第２空間とに区画することができる。
【００１５】
さらに、本発明において、前記集水空間は、直方体状の空間であって、前記集水空間内に前記遮湿部材が斜めに設置され、前記遮湿部材の両側端が前記集水空間の両側面に水密に接触され、前記遮湿部材の上下端が前記集水空間の上隅部及び下隅部にそれぞれ接合手段により水密に接合されていることとしてもよい。
【００１６】
本発明の遮湿構造によれば、集水空間内に遮湿部材を斜めに配置し、遮湿部材の両側端を集水空間の両側面に水密に接触させ、遮湿部材の上下端を集水空間の上隅部及び下隅部にそれぞれ接合手段によって水密に接合することにより、集水空間内に遮湿部材を斜めに設置することができ、遮湿部材と地下外壁との間に第１空間を形成し、遮湿部材と複壁との間に第２空間を形成することができる。
【００１７】
さらに、本発明において、前記遮湿部材の下端を着脱可能に構成したこととしてもよい。
【００１８】
本発明の遮湿構造によれば、遮湿部材の下端を着脱させることにより、集水空間内を点検する際の作業性を向上させることができる。
【発明の効果】
【００１９】
以上、説明したように、本発明の遮湿構造造によれば、集水空間内を第１空間と第２空間とに区画する遮湿部材は、遮湿性（水、及び湿気（水蒸気）を通さない性質）を有しているので、地下外壁からの漏水及び漏水による湿気（水蒸気）が第１空間から遮湿部材を透過して第２空間内に流入するようなことはない。
従って、地下外壁からの漏水及び漏水による湿気で複壁の裏面側が濡れるようなことはないので、複壁を乾燥した状態に保ち続けることができ、地下空間を快適な状態に保ち続けることができる。
また、集水空間内に遮湿部材を設置するだけでよいので、施工に要する手間、時間、及び費用を大幅に削減することができ、地下空間に安価な費用で防水対策を施すことができる。
さらに、地下外壁の全周に鉄板を設置する工法のように、地下外壁の外側を掘削する必要がないので、都心部等の狭隘な敷地であっても適用が可能となり、汎用性を高めることができる。
【図面の簡単な説明】
【００２０】
【図１】本発明による遮湿構造の一実施の形態を示した概略図である。
【図２】図１の部分拡大図である。
【図３】従来の遮湿構造の一例を示した概略図である。
【発明を実施するための形態】
【００２１】
以下、図面を参照しながら本発明の実施の形態について説明する。
図１〜図３には、本発明による遮湿構造の一実施の形態が示されている。本実施の形態の遮湿構造１は、地下外壁７からの漏水１５及び漏水１５による湿気（水蒸気）が地下街、地下室等の地下空間１３内に流入するのを防止するのに有効なものである。
【００２２】
すなわち、本実施の形態の遮湿構造１は、地下外壁７の内側に地下外壁７に沿うように間隔をおいて設置され、地下外壁７との間に地下空間１３から隔離された直方体状の集水空間１１を形成する複壁８と、集水空間１１内に設けられるとともに、集水空間１１内を地下外壁７側の第１空間５と、複壁８側の第２空間６とに水密に区画する遮湿部材２とを備えている。
【００２３】
集水空間１１の底部には、地下空間１３の下方に設けられた排水ピット１４に連通する排水管１２が設けられ、地下外壁７から集水空間１１内に導かれた漏水１５が排水管１２を介して排水ピット１４内に導かれ、排水ピット１４からポンプ（図示せず）を介して排水路等に排水される。
【００２４】
複壁８は、集水空間１１の開口部に設置される軽量鉄骨からなる骨組９と、骨組９の表面側（地下空間１３側）に張り付けられる、珪酸カルシウム板、石膏ボード、各種の合板等からなる内装板１０とから構成されている。
【００２５】
複壁８の内装板１０の一部には、内装板１０を貫通する点検口（図示せず）が設けられ、この点検口を介して集水空間１１の内部の点検が行われる。点検口には、点検口を開閉させる開閉蓋が設けられている。開閉蓋は、内装板１０と同一材質で形成してもよいし、内装板１０と異なる材質で形成してもよい。
なお、本実施の形態では、複壁８を軽量鉄骨からなる骨組９と、内装板１０とによって構成しているが、複数のコンクリートブロックを積み上げて複壁８を構成してもよい。
【００２６】
遮湿部材２は、遮湿性を有する材質からなるフィルム状、シート状、又は板状（本実施の形態ではシート状）をなすものであって、遮湿部材２としては、例えば、ポリエチレンシート、ポリ塩化ビニルシート等の合成樹脂シート、各種の合成ゴムシート、アルミ蒸着シート、金属製の薄板（ステンレス製の薄板）等が挙げられる。但し、これらに限定することなく、同様の性質を有するものであればよい。
なお、本実施の形態において、遮湿性とは、湿気（水蒸気）を通さない性質を意味する。
【００２７】
遮湿部材２は、図１及び図２に示すように、多少の弛みが生じるように集水空間１１内に斜めに設置されている。遮湿部材２は、両側端２ｃ、２ｄが集水空間１１の両側面１１ａ、１１ｂに接触するように集水空間１１内に斜めに配置され、この状態で、上端２ａ及び下端２ｂが接合手段としてのアングル材３及び固定ねじ４を介して、集水空間１１の図１の奥側の上隅部１１ｃ、及び図１の手前側の下隅部１１ｄにそれぞれ固定されている。遮湿部材２により、集水空間１１内が地下外壁７側の第１空間５と複壁８側の第２空間６とに水密に区画される。
【００２８】
なお、本実施の形態では、遮湿部材２の両側端２ｃ、２ｄを集水空間１１の図１の左右側の両側面１１ａ、１１ｂに接触させているが、これに限定することなく、両側端２ｃ、２ｄを所定の幅で折り返して帯状に形成し、帯状に形成した部分を集水空間１１の両側面１ａ、１１ｂに面接触させるように構成してもよい。さらに、両側端２ｃ、２ｄをファスナ等を介して両側面１１ａ、１１ｂに着脱可能に接合してもよい。
【００２９】
また、本実施の形態では、遮湿部材２の上端２ａ、及び下端２ｂを、集水空間１１の図１の上側及び下側の上隅部１１ｃ及び下隅部１１ｄに固定しているが、遮湿部材２の下端２ｂを集水空間１１の下隅部１１ｄに着脱可能に構成してもよい。このような構成とすることにより、集水空間１１内の排水管１２の点検作業を容易に行うことができる。
【００３０】
さらに、本実施の形態では、遮湿部材２を集水空間１１内に多少の弛みをもたせて斜めに設置しているが、この形状に限定することなく、Ｊ形状等の各種の形状に設置してもよい。要は、集水空間１１を、遮湿部材２によって地下外壁７側の第１空間５と複壁８側の第２空間６とに水密に区画できればよい。
【００３１】
上記のように構成した本実施の形態の遮湿構造にあっては、地下外壁７と複壁８との間に形成される集水空間１１内に遮湿部材２を設けて、集水空間１１内を地下外壁７側の第１空間５と複壁８側の第２空間６とに水密に区画したので、地下外壁７のセパレータ孔、打継目、ひび割れ箇所等から漏水１５が発生した場合に、この漏水１５を第１空間５内に導いて、第１空間５から排水管１２を通じて排水ピット１４に導くことができる。
【００３２】
この場合、遮湿部材２は、遮湿性（湿気（水蒸気）を通さない性質）を有しているので、地下外壁７からの漏水１５及び漏水１５による湿気（水蒸気）が遮湿部材２を透過して第２空間６内に流入するようなことはない。
【００３３】
従って、地下外壁７からの漏水１５及び漏水１５による湿気（水蒸気）が複壁８の裏面側に降りかかって、複壁８の裏面側が濡れるようなことはないので、漏水１５及び湿気が複壁８に浸透して、複壁８の表面側に染み出してカビ等を発生させることはなく、複壁８を乾燥した状態に保つことができ、地下空間１３を快適な状態に保つことができる。
【００３４】
また、集水空間１１内に遮湿部材２を設置するだけで、地下外壁７からの漏水１５及び漏水１５による湿気（水蒸気）が地下空間１３側に流入するのを防止できるので、施工に要する手間、時間、及び費用を大幅に削減することができ、地下空間１３に安価な費用で防水対策を施すことができる。
【００３５】
さらに、地下外壁の全周を鉄板で囲む工法のように、地下外壁の外側を掘削する必要がないので、都心部等の狭隘な敷地の場合であっても適用が可能となり、汎用性を高めることができる。
【符号の説明】
【００３６】
１  遮湿構造
２  遮湿部材
２ａ  上端
２ｂ  下端
２ｃ  側端
２ｄ  側端
３  アングル材
４  固定ねじ
５  第１空間
６  第２空間
７  地下外壁
８  複壁
９  骨組
１０  内装板
１１  集水空間
１１ａ  側面
１１ｂ  側面
１１ｃ  上隅部
１１ｄ  下隅部
１２  排水管
１３  地下空間
１４  排水ピット
１５  漏水
１６  カビ
【図１】
2013122148.tif 000003
【図２】
2013122148.tif 000004
【図３】
2013122148.tif 000005